(57)【要約】【課題】遊技盤の吸着効果を高めて、合成樹脂等の傷の付き易い部材で構成された遊技盤を安全に搬送することが可能な技術を提供する。【解決手段】本発明に係る遊技盤の搬送方法は、少なくとも一部が合成樹脂で構成された遊技盤１００を押圧する押圧部１５が、遊技盤１００のうち複数箇所を当該遊技盤を載置する載置台１１０に向けて押圧することにより当該遊技盤１００の盤面のうち少なくとも一部を平坦にする平坦工程と、遊技盤１００を吸着する吸着部２１が、平坦工程が実行されているときに、遊技盤１００が押圧される方向と同一の方向から押圧部１５により平坦にされた部分のうち少なくとも一部を吸着する吸着工程と、遊技盤１００を搬送するハンド部１０が、吸着部２１にて吸着した遊技盤１００を所定位置まで搬送する搬送工程とを実行することを特徴とする。【選択図】図４
2007313112.tif 000002
【特許請求の範囲】
【請求項１】
少なくとも一部が合成樹脂で構成された遊技盤を押圧する押圧部が、前記遊技盤のうち複数箇所を当該遊技盤を載置する載置台に向けて押圧することにより当該遊技盤の盤面のうち少なくとも一部を平坦にする平坦工程と、
前記遊技盤を吸着する吸着部が、前記平坦工程が実行されているときに、前記遊技盤が押圧される方向と同一の方向から前記押圧部により平坦にされた部分のうち少なくとも一部を吸着する吸着工程と、
前記遊技盤を搬送する搬送部が、前記吸着部にて吸着した前記遊技盤を所定位置まで搬送する搬送工程とを実行する、
ことを特徴とする遊技盤の搬送方法。
【請求項２】
少なくとも一部が合成樹脂で構成された遊技盤を載置する載置台と、
前記遊技盤のうち複数箇所を前記載置台に向けて押圧することにより当該遊技盤の盤面のうち少なくとも一部を平坦にする押圧部、および前記押圧部と同一方向を向けて設けられ、前記押圧部により平坦にされた部分のうち少なくとも一部を吸着する吸着部を有し、前記吸着部にて吸着した前記遊技盤を所定位置まで搬送する搬送部とを備えた、
ことを特徴とする遊技盤の搬送装置。
【請求項３】
前記押圧部は、弾性を有する部材にて構成され、
前記遊技盤と前記押圧部の先端との距離は、当該遊技盤と前記吸着部の先端との距離よりも短い、
ことを特徴とする請求項２記載の遊技盤の搬送装置。
【請求項４】
前記吸着部は、前記遊技盤の盤面のうち、前記押圧部に押圧される箇所が直線上に少なくとも２箇所形成された部分を吸着する、
ことを特徴とする請求項２または３に記載の遊技盤の搬送装置。
【発明の詳細な説明】
【技術分野】
【０００１】
本発明は遊技盤の搬送方法および遊技盤の搬送装置に関し、特に遊技盤を吸着して搬送する技術に関するものである。
【背景技術】
【０００２】
従来より、遊技機における遊技盤の製造過程において、当該遊技盤を搬送するための装置としては、駆動式ローラーコンベア等を有する遊技盤基材搬送装置が採用されていた（例えば、特許文献１参照）。
【０００３】
上述した遊技盤基材搬送装置は、多数のローラーの内、遊技盤が同時に接触する数個のローラーを駆動して当該遊技盤を搬送し、そのローラーの停止によって遊技盤を所定位置に自在に停止させるようになっている。
【０００４】
しかしながら、特許文献１の遊技盤基材搬送装置におけるローラーコンベア等は、当該ローラーの摩擦等によって遊技盤を傷つけてしまう虞が高い。
【０００５】
そのため、丈夫で傷が付き難い遊技盤や傷が目立ち難い遊技盤等（例えば、ベニヤ板等の部材から構成された遊技盤等）であればまだしも、傷が付き易い遊技盤や傷が目立ち易い遊技盤等（例えば、近年採用されている合成樹脂等の部材から構成された遊技盤等）の搬送にローラーコンベアを採用することは好ましくない。
【０００６】
そこで、合成樹脂等の傷の付き易い部材で構成された遊技盤を傷つけずに搬送するために、化粧板を吸着して搬送する技術（例えば、特許文献２参照）を、当該遊技盤の搬送に応用することも考えられる。
【０００７】
特許文献２は、吸引機のアームに化粧板を吸着させた後、当該化粧板を、その吸着状態を保ったままそのアームにて所定位置まで搬送する技術である。
【０００８】
特許文献２における化粧板を搬送する技術を遊技盤の搬送に応用すれば（すなわち、遊技盤を吸着して搬送すれば）、合成樹脂等の部材から構成された遊技盤がローラー等にて傷付く虞を回避することができると考えられる。
【特許文献１】特開平１０−９４６４１号公報
【特許文献２】特開平０６−１２１８６７号公報
【発明の開示】
【発明が解決しようとする課題】
【０００９】
しかしながら、合成樹脂等の部材から構成された遊技盤は、その合成樹脂の特性ゆえに、成形の過程においていくらか反ってしまう場合がある。
【００１０】
この場合、遊技盤の吸着面が平坦にならないため、特許文献２の技術を応用して遊技盤を吸着したとしても十分な吸着効果が得られず、搬送途中で当該遊技盤が落下してしまう虞がある。
【００１１】
また、遊技盤は、化粧板と比べてかなりの重量があるため（一般的に化粧板は２００〜５００ｍｇの重量を有しているのに対し、遊技盤は２〜４ｋｇの重量を有している）、特許文献２の技術のみでは十分な吸着効果を得ることは難しく、遊技盤を安全に搬送するにはさらなる改良の必要があった。
【００１２】
そこで、本発明は、遊技盤の吸着効果を高めて、合成樹脂等の傷の付き易い部材で構成された遊技盤を安全に搬送することが可能な技術を提供することを目的とする。
【課題を解決するための手段】
【００１３】
上記課題を解決するため、請求項１に記載の本発明の遊技盤の搬送方法は、少なくとも一部が合成樹脂で構成された遊技盤（遊技盤１００）を押圧する押圧部（押圧部１５）が、遊技盤のうち複数箇所を当該遊技盤を載置する載置台（載置台１１０）に向けて押圧することにより当該遊技盤の盤面のうち少なくとも一部を平坦にする平坦工程と、遊技盤を吸着する吸着部（吸着部２１）が、平坦工程が実行されているときに、遊技盤が押圧される方向と同一の方向から押圧部により平坦にされた部分のうち少なくとも一部を吸着する吸着工程と、遊技盤を搬送する搬送部（ハンド部１０）が、吸着部にて吸着した遊技盤を所定位置まで搬送する搬送工程とを実行することを特徴とする。
【００１４】
本構成によれば、吸着工程において吸着部は、遊技盤の盤面のうち、押圧部の押圧によって反りが解消されて平坦になった部分を吸着するようになっている。この場合、当該遊技盤の吸着をより確実に行うことができ、遊技盤の吸着効果を高めることができる。
【００１５】
これにより、吸着された遊技盤が搬送途中で落下してしまうことを防ぐことができ、特に合成樹脂等の傷が付き易い部材で構成された遊技盤を安全に搬送することが可能となる。
【００１６】
さらに、本構成によれば、遊技盤の搬送の際に、当該遊技盤を傷つける虞のあるローラーコンベア等を用いる必要がないため、合成樹脂等の傷の付き易い部材で構成された遊技盤を傷つけずに安全に搬送することが可能となる。
【００１７】
また、上述したように、安全性の高い遊技盤の搬送方法を提供することができるので、より傷が目立ち易く搬送の困難な遊技盤（例えば、透明性を有する部材で構成された遊技盤等）を搬送することも可能となる。このように、本発明によれば、より多様な遊技盤を搬送することができ、これにより、演出のバリエーションに富む遊技機を製造することが可能となる。
【００１８】
請求項２に記載の本発明の遊技盤の搬送装置は、少なくとも一部が合成樹脂で構成された遊技盤を載置する載置台と、遊技盤のうち複数箇所を載置台に向けて押圧することにより当該遊技盤の盤面のうち少なくとも一部を平坦にする押圧部、および押圧部と同一方向を向けて設けられ、押圧部により平坦にされた部分のうち少なくとも一部を吸着する吸着部を有し、吸着部にて吸着した遊技盤を所定位置まで搬送する搬送部とを備えたことを特徴とする。
【００１９】
本構成によれば、吸着部は、遊技盤の盤面のうち、押圧部の押圧によって反りが解消されて平坦になった部分を吸着するようになっている。この場合、当該遊技盤の吸着をより確実に行うことができ、遊技盤の吸着効果を高めることができる。
【００２０】
これにより、吸着された遊技盤が搬送途中で落下してしまうことを防ぐことができ、特に合成樹脂等の傷の付き易い部材で構成された遊技盤を安全に搬送することが可能となる。
【００２１】
さらに、本構成によれば、遊技盤の搬送の際に、当該遊技盤を傷つける虞のあるローラーコンベア等を用いる必要がないため、合成樹脂等の傷の付き易い部材で構成された遊技盤を傷つけずに安全に搬送することが可能となる。
【００２２】
また、上述したように、安全性の高い遊技盤の搬送装置を提供することができるので、より傷が目立ち易く搬送の困難な遊技盤（例えば、透明性を有する部材で構成された遊技盤等）を搬送することも可能となる。このように、本発明によれば、より多様な遊技盤を搬送することができ、これにより、演出のバリエーションに富む遊技機を製造することが可能となる。
【００２３】
請求項３に記載の本発明は、請求項２に記載の発明の構成に加えて、押圧部は、弾性を有する部材にて構成され、遊技盤と押圧部の先端との距離は、当該遊技盤と吸着部の先端との距離よりも短いことを特徴とする。
【００２４】
本構成によれば、押圧部は、弾性を有する部材にて構成されるとともに、当該押圧部の先端と遊技盤との距離は、吸着部の先端と遊技盤との距離よりも短いので、吸着部にて遊技盤を吸着する場合、まず押圧部が遊技盤に当接し、そして、吸着部が遊技盤を吸着するために当該遊技盤に接近するにつれて、弾性体である押圧部にかかる圧力が増大し、当該押圧部が変形するとともに、押圧部より遊技盤にかかる圧力が増大する。
【００２５】
これによれば、吸着部を遊技盤に接近させるだけで当該遊技盤に圧力をかけることができるため、遊技盤の反りをより確実に解消することが可能となる。
【００２６】
請求項４に記載の本発明は、請求項２または３に記載の発明の構成に加えて、吸着部は、遊技盤の盤面のうち、押圧部に押圧される箇所が直線上に少なくとも２箇所形成された部分を吸着することを特徴とする。
【００２７】
本構成によれば、吸着部の吸着する部分（吸着面）の直線上に、押圧部に押圧される箇所が２箇所形成されることとなる。この場合、遊技盤の吸着面における反りを解消することができ、当該吸着面を平坦にすることができる。これにより、遊技盤の吸着をより確実に行うことができ、遊技盤の吸着効果をより高めることができる。
【発明の効果】
【００２８】
本発明によれば以下の効果を奏することができる。
【００２９】
すなわち、本発明によれば、遊技盤の吸着効果を高めて、合成樹脂等の傷の付き易い部材で構成された遊技盤を安全に搬送することが可能となる。
【発明を実施するための最良の形態】
【００３０】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３１】
（実施の形態１）
【００３２】
図１は実施の形態１に係る移載機の態様の一例を示す概念図、図２は図１に示す移載機の態様の他の一例を示す概念図、図３は図１（ｂ）に示す移載機を上方から見た説明図、図４は実施の形態１に係るハンド部が遊技盤を押圧しながら吸着する状態を示す概念図、図５は図３に示す移載機とは別の形態の移載機を上方から見た説明図、図６は図５に示すハンド部が遊技盤を押圧しながら吸着する状態を示す概念図である。
【００３３】
図１および図２に示すように、上面１１０ａが平坦に形成された載置台１１０の当該上面１１０ａには、成形された遊技盤１００が載置されるようになっている。なお、本実施の形態の載置台１１０は側壁がないものであるが、側壁を有する箱状であってもよい。
【００３４】
ここで、遊技盤１００は、アクリル樹脂、ポリカーボネート樹脂、メタクリル樹脂などの透光性を有する合成樹脂等の部材で構成されており、板形状を呈している。また、遊技盤１００は、上述したように合成樹脂等の部材で構成されているため、当該合成樹脂の特性（例えば、可塑性や、加熱により軟化する特性等）により、成形された時点で既にいくらか反った状態となってしまっている場合が多い（図１（ａ）および図４（ａ）参照）。なお、上記遊技盤１００は、透明であってもよいし、半透明であってもよい。また、合成樹脂以外の部材から構成されていてもよい。
【００３５】
図１および図２において、載置台１１０の右方には、本体部１２１、アーム部１２２、支持部材１２３、カッターヘッド部１２４から構成され、カッターヘッド部１２４にて遊技盤１００の面取り、切り抜きなどを行うルーター加工機１２０が配置されている。
【００３６】
アーム部１２２は、本体部１２１から突出して設けられており、上下左右に移動可能となっている。また、支持部材１２３は、アーム部１２２の突出端に設けられ、その上面にカッターヘッド部１２４を搭載している。カッターヘッド部１２４は、支持部材１２３の上面から上方を向いて設けられ、高速回転することによって、当該カッターヘッド部１２４に接触する部材を切削することが可能となっている。
【００３７】
そのため、当該カッターヘッド部１２４にて遊技盤１００の面取りや切り抜きを行うことができ、これにより、入賞口等の遊技部材を取り付けるための取り付け孔１１１，１１２（図３）を遊技盤１００に形成することができる。
【００３８】
移載機１は、ルーター加工機１２０の上方から載置台１１０の上方へと延びて形成されたアーム部３０、およびアーム部３０に摺動するハンド部（搬送部）１０とから構成され、当該ハンド部１０にて遊技盤１００を搬送する装置である（図１乃至図３参照）。
【００３９】
アーム部３０は、その下側に、当該アーム部３０のほぼ全長に渡って形成され、ハンド部１０をアーム部３０に沿って移動させる移送ネジ３２を備え、そして、当該移送ネジ３２の上方に、移送ネジ３２に平行して形成されるガイドレール３１を備えている。ガイドレール３１は、アーム部３０のほぼ全長に渡って形成され、ハンド部１０の上記移動に応じて、当該ハンド部１０を摺動させることが可能となっている。
【００４０】
移送ネジ３２は、その全周に渡って後述する移送ネジ把持部１２と螺合する雄ねじ（図示せず）が形成されており、その移送ネジ３２は、回転することによって、移送ネジ把持部１２を備えたハンド部１０を、アーム部３０に沿って移動させるようになっている。
【００４１】
さらに、移送ネジ３２の右端および左端には、ハンド部１０の移動を阻止するストッパ３３，３４がそれぞれ設けられており、本実施の形態のハンド部１０は、このストッパ３３とストッパ３４との間で移動することが可能となっている。
【００４２】
ハンド部１０は、移送ネジ３２における雄ねじと螺合する雌ねじ（図示せず）を備えた移送ネジ把持部１２と、ガイドレール３１に摺動可能に取り付けられるレール把持部１１とを備えている。
【００４３】
アーム部３０およびハンド部１０は、このような構成となっているため、本実施の形態におけるハンド部１０は、移送ネジ３２が矢印Ａ方向（図２（ｂ））に回転する場合には、矢印Ｂ方向に移動する。一方、移送ネジ３２が矢印Ａ方向とは反対方向に回転する場合には、矢印Ｂ方向とは反対方向に移動する。
【００４４】
また、ハンド部１０は、後述する支持部材１３を上下動させることが可能なエアーシリンダである。
【００４５】
エアーシリンダであるハンド部１０は、上下方向に移動可能なロッド１０ａ（図１（ｂ）および図４（ｂ））を備え、その内部のピストンを蒸気圧やガス圧によって往復運動させて当該ロッド１０ａを上下動させることにより、ロッド１０ａの下端に横設された支持部材１３を上下に移動させる装置である（図１および図４参照）。但し、本実施の形態のハンド部１０は、エアーシリンダに限られず、支持部材１３を上下動させることが可能な装置であればよい。
【００４６】
また、ロッド１０ａの下端に横設された支持部材１３の四隅の下面には、遊技盤１００を載置台１１０に向けて押圧する押圧部１５が下方に突出して設けられている（図３および図４参照）。
【００４７】
さらに、図３および図４に示すように、支持部材１３の四隅の下面の押圧部１５と干渉しない位置には、遊技盤１００を吸着する吸着部２１を搭載する突出板２０が、ネジ２０ａによりネジ止めされて取り付けられている。
【００４８】
押圧部１５は、硬質ウレタン、天然ゴム、ブタジエンゴム、シリコーンゴム等の弾性を有する部材にて構成されており、外部からの圧力に応じて変形するようになっている（図４参照）。
【００４９】
吸着部２１は、突出板２０を貫通して配置されており、その下端にはゴム製の吸着パット２２が下方に突出して設けられている一方、上端にはチューブ２３が取り付けられるようになっている。ここで吸着部２１は、チューブ２３の取り付け位置から吸着パット２２にかけて、貫通した孔（図示せず）が形成されており、そして、吸着パット２２は、当該貫通孔およびチューブ２３を介して図示略の真空装置と導通している。
【００５０】
ここで、本実施の形態の押圧部１５の先端は、図１、図２および図４に示すように、吸着部２１における吸着パット２２の先端よりも下方に突出している。そのため、ハンド部１０を遊技盤１００の上方まで移動させた場合には、遊技盤１００と押圧部１５の先端との距離が、当該遊技盤１００と吸着部２１における吸着パット２２の先端との距離よりも短くなる。このとき、支持部材１３を下降させて吸着パット２２を遊技盤１００に近づけると、当該吸着パット２２よりも先に押圧部１５が遊技盤１００に当接するようになる。
【００５１】
また、本実施の形態において、図３における直線Ｘおよび直線Ｙ上には、それぞれ２つの吸着部２１と、２つの押圧部１５とが配置されている。すなわち、吸着部２１の横方向には、２つの押圧部１５が配置される。
【００５２】
次に、上記構成に基づく遊技盤１００の搬送方法について説明する。まず、成形された遊技盤１００を、載置台１１０の上面１１０ａに載置する。次に、ハンド部１０を、図示略の信号によって当該遊技盤１００の上方まで移動させる（図１（ａ）および図４（ａ）参照）。
【００５３】
そして、エアーシリンダであるハンド部１０は、吸着部２１における吸着パット２２が遊技盤１００に当接するまで支持部材１３を降下させる（図１（ｂ）および図４（ｂ）参照）。この場合、まず押圧部１５が遊技盤１００に当接し、そして、吸着パット２２が遊技盤１００に接近するにつれて、弾性体である押圧部１５にかかる圧力が増大し、当該押圧部１５が変形するとともに、押圧部１５より遊技盤１００にかかる圧力が増大する。
【００５４】
これによれば、吸着部２１における吸着パット２２を遊技盤１００に接近させるだけで当該遊技盤１００に圧力をかけることができるため、当該吸着パット２２が遊技盤１００当接する頃には、図１（ｂ）および図４（ｂ）に示すように、遊技盤１００の反りを解消してその盤面を平坦にすることができる（以下、当該工程を「平坦工程」という）。
【００５５】
そして、吸着パット２２が遊技盤１００に当接した場合、ハンド部１０は、図示略の真空装置と接続しているチューブ２３を介して吸着パット２２内を負圧することにより、当該吸着パット２２にて遊技盤１００を吸着する（以下、当該工程を「吸着工程」という）。なお、当該吸着工程は、上記平坦工程と並行して行われる。そのため、吸着パット２２は、上記平坦工程により平坦にされた盤面を吸着することができ、高い吸着効果を得ることができる。この場合、吸着された遊技盤１００が搬送途中で落下してしまうことを防ぐことが可能となる。
【００５６】
また、本実施の形態において、吸着部２１は、支持部材１３よりも下端に位置する突出板２０に配置されている。そのため、吸着部２１の下端に設けられた吸着パット２２にて遊技盤１００を吸着した場合には、支持部材１３と遊技盤１００との間に隙間２４（図１（ｂ）、図２および図４（ｂ），（ｃ））が形成される。この隙間２４は、カッターヘッド部１２４による遊技盤１００の面取りや切り抜きの際に、遊技盤１００の盤面を貫通して当該遊技盤１００の上方に突出したカッターヘッド部１２４の先端を収容可能となっている。すなわち隙間２４は、カッターヘッド部１２４による遊技盤１００の面取りや切り抜きの際に、当該カッターヘッド部１２４の先端が支持部材１３に接触することを防ぐ役割を有している。そのため、この隙間２４が形成されることによって、ハンド部１０に遊技盤１００を吸着したままであっても支持部材１３を傷つけることなく遊技盤１００の面取りや切り抜きを行うことができ、遊技盤１００の製造効率を高めることができる。
【００５７】
さらに、本実施の形態において、吸着部２１の横方向には、２つの押圧部１５が配置されるようになっているので、これによれば、吸着部２１における吸着パット２２の吸着する部分（吸着面）の直線上に、押圧部１５に押圧される箇所が２箇所形成されることとなる（図４（ｂ）参照）。この場合、遊技盤１００の吸着面における反りを解消することができ、当該吸着面を平坦にすることができる。
【００５８】
次にハンド部１０は、遊技盤１００を吸着したまま支持部材１３を上昇させた後、移送ネジ３２の矢印Ａ方向への回転に応じて矢印Ｂ方向に移動することにより、当該遊技盤１００を、所定位置（例えば、ルーター加工機１２０におけるカッターヘッド部１２４の上方）に搬送する（図２（ｂ）参照。以下、当該工程を「搬送工程」という）。これによれば、吸着工程にて吸着した遊技盤１００を、当該遊技盤１００を傷つける虞のあるローラーコンベア等を用いずにルーター加工機１２０まで搬送することができる。
【００５９】
ルーター加工機１２０は、搬送工程にて上方に遊技盤１００が搬送された場合、カッターヘッド部１２４にて、上記搬送された遊技盤１００の面取り作業や切り抜き作業等を行う（以下、当該工程を「面取り工程」という）。
【００６０】
そして、上記面取り工程が終了した場合、ハンド部１０は、再びアーム部３０に沿って移動することにより、遊技盤１００を図示しない収納体の上方に搬送し、その後、支持部材１３を下降させることにより、遊技盤１００を収納体の上面に載置させる。次に、ハンド部１０は、吸着パット２２内の負圧を常圧に戻し、その後、支持部材１３を上昇させて遊技盤１００を吸着パット２２から離脱させる。これにより、面取り工程の終了した遊技盤１００は、収納体の上面に載った状態となり、遊技盤１００の搬送に関する工程が終了する。
【００６１】
このように、本実施の形態によれば、遊技盤１００の搬送の際においては、当該遊技盤１００を傷つける虞のあるローラーコンベア等を用いる必要がないため、合成樹脂等の傷の付き易い部材で構成された遊技盤１００を傷つけずに安全に搬送することが可能となる。
【００６２】
以上、本発明の実施の形態を説明したが、これは本発明を具体的に例示したに過ぎず、特に本発明を限定するものではない。
【００６３】
本実施の形態において、面取り工程が終了した遊技盤１００は、収納体へと搬送されるようになっていたが、これに限られず、他の場所に搬送されるようになっていてもよい。例えば、載置台１１０に戻すようにしてもよい。
【００６４】
また、本実施の形態において、遊技盤１００の搬送は、ハンド部１０をアーム部３０に沿って移動させることにより行っていたが、これに限られず、例えば、アーム部３０自体を上下方向、もしくは左右方向に回動させることにより行ってもよい。
【００６５】
さらに、本実施の形態においては、面取り工程を行う目的で搬送工程を行っていたが、本発明はこれに限られず、当該搬送工程は、他の目的で行ってももちろんよい。例えば、遊技盤１００を遊技機に取り付ける作業を行う目的で行ってもよい。
【００６６】
また、本実施の形態の突出板２０は、支持部材１３の四隅の下面にネジ止されて取り付けられていたが、本発明はこれに限られず、ピン止めされるようになっていてもよいし、支持部材１３係止するようになっていてもよい。または、支持部材１３に接着されて取り付けられるようになっていてもよい。
【００６７】
また、本実施の形態では、押圧部１５は支持部材１３の四隅に、吸着部２１は突出板２０にそれぞれ設けられていたが、これに限られず、押圧部１５および吸着部２１は、それぞれ他の位置に設けられていてもよい。例えば、押圧部１５は突出板２０の下面に、吸着部２１は支持部材１３の四隅にそれぞれ設けられるようになっていてもよい。
【００６８】
さらに、本実施の形態の押圧部１５は、遊技盤１００の盤面全体を平坦にするようにしていたが、本発明はこれに限られず、押圧部１５は、遊技盤１００の盤面のうち少なくとも一部の反りを解消して平坦にできればよい。この場合、吸着部２１は、遊技盤１００の盤面のうち押圧部１５により平坦にされた部分のうち少なくとも一部を吸着パット２２にて吸着する。
【００６９】
また、吸着部２１を突出板２０に設けずに、２つの押圧部１５の間に挟まれる位置に設けてもよい（図５および図６参照。同図に示すように、吸着部２１は、支持部材１３の２つの押圧部１５の間における位置に設けられている）。
【００７０】
この場合、２つの押圧部１５の押圧によって平坦となった盤面を、吸着部２１の吸着パット２２にて吸着することが可能となるので、より吸着効果を高めることができる。
【００７１】
また、本実施の形態の押圧部１５および吸着部２１は、それぞれ４つずつ設けられていたが、これに限られず、押圧部１５および吸着部２１は、それぞれ１つ以上設けられていればよい。
【００７２】
以上説明したように、本実施の形態によれば、吸着工程において吸着部２１は、遊技盤１００の盤面のうち、押圧部１５の押圧によって反りが解消されて平坦になった部分を吸着するようになっている。この場合、当該遊技盤１００の吸着をより確実に行うことができ、遊技盤１００の吸着効果を高めることができる。
【００７３】
これにより、吸着された遊技盤１００が搬送途中で落下してしまうことを防ぐことができ、特に合成樹脂等の傷が付き易い部材で構成された遊技盤１００を安全に搬送することが可能となる。
【００７４】
さらに、本構成によれば、遊技盤１００の搬送の際に、当該遊技盤１００を傷つける虞のあるローラーコンベア等を用いる必要がないため、合成樹脂等の傷の付き易い部材で構成された遊技盤１００を傷つけずに安全に搬送することが可能となる。
【００７５】
また、上述したように、安全性の高い遊技盤１００の搬送方法を提供することができるので、より傷が目立ち易く搬送の困難な遊技盤（例えば、透明性を有する部材で構成された遊技盤等）を搬送することも可能となる。このように、本発明によれば、より多様な遊技盤を搬送することができ、これにより、演出のバリエーションに富む遊技機を製造することが可能となる。
【００７６】
また、本実施の形態によれば、吸着部２１は、遊技盤１００の盤面のうち、押圧部１５の押圧によって反りが解消されて平坦になった部分を吸着するようになっている。この場合、当該遊技盤１００の吸着をより確実に行うことができ、遊技盤１００の吸着効果を高めることができる。
【００７７】
これによれば、吸着された遊技盤１００が搬送途中で落下してしまうことを防ぐことができ、特に合成樹脂等の傷の付き易い部材で構成された遊技盤１００を安全に搬送することが可能となる。
【００７８】
さらに、本構成によれば、遊技盤１００の搬送の際に、当該遊技盤１００を傷つける虞のあるローラーコンベア等を用いる必要がないため、合成樹脂等の傷の付き易い部材で構成された遊技盤１００を傷つけずに安全に搬送することが可能となる。
【００７９】
また、上述したように、安全性の高い遊技盤１００の搬送装置（移載機１）を提供することができるので、より傷が目立ち易く搬送の困難な遊技盤（例えば、透明性を有する部材で構成された遊技盤等）を搬送することも可能となる。このように、本発明によれば、より多様な遊技盤１００を搬送することができ、これにより、演出のバリエーションに富む遊技機を製造することが可能となる。
【００８０】
さらに、本実施の形態によれば、押圧部１５は、弾性を有する部材にて構成されるとともに、当該押圧部１５の先端と遊技盤１００との距離は、吸着部２１における吸着パット２２の先端と遊技盤１００との距離よりも短いので、吸着部２１の吸着パット２２にて遊技盤１００を吸着する場合、まず押圧部１５が遊技盤１００に当接し、そして、吸着部２１が遊技盤１００を吸着するために当該遊技盤１００に接近するにつれて、弾性体である押圧部１５にかかる圧力が増大し、当該押圧部１５が変形するとともに、押圧部１５より遊技盤１００にかかる圧力が増大する。
【００８１】
これによれば、吸着部２１を遊技盤１００に接近させるだけで当該遊技盤１００に圧力をかけることができるため、遊技盤１００の反りをより確実に解消することが可能となる。
【００８２】
また、本実施の形態によれば、吸着部２１における吸着パット２２の吸着する部分（吸着面）の直線上に、押圧部１５に押圧される箇所が２箇所形成されることとなる。この場合、遊技盤１００の吸着面における反りを解消することができ、当該吸着面を平坦にすることができる。これにより、遊技盤１００の吸着をより確実に行うことができ、遊技盤１００の吸着効果をより高めることができる。
【００８３】
（実施の形態２）
【００８４】
本実施の形態の遊技盤の搬送技術は、実施の形態１の機能の一部に変更を加え、以下に示す機能を有する。
【００８５】
本実施の形態では、図７および図８に示すように、ロッド１０ａの下端に、押圧部１５を支持する第２支持部材２００が横設されている。そして、第２支持部材２００の下方には、支持部材１３が、緩衝部材２５０（図８）を介して横設されている。緩衝部材２５０は、支持部材１３や第２支持部材２００にて発生する衝撃を吸収する部材であるため、たとえ一方に衝撃が発生したとしても他方には伝わりにくくなっている。なお、緩衝部材２５０の材質は特に限定しないが、ゴム等の弾性体であることが望ましい。
【００８６】
また、本実施の形態では、突出板２０が配置されておらず、吸着部２１は、支持部材１３の四隅に、当該支持部材１３を貫通して配置されている（図７参照）。吸着部２１は、その下端にはゴム製の吸着パット２２が下方に突出して設けられている一方、上端にはチューブ２３が取り付けられるようになっている。
【００８７】
第２支持部材２００は、中央の本体板２０１と、当該本体板２０１から放射状に４方向に延びた腕部２０２とから構成されている。
【００８８】
腕部２０２は、その先端が支持部材１３の外方に突出しており、当該先端部分の下側に、押圧部１５を下面に備える押圧板２２０を有している。
【００８９】
また、各腕部２０２の一部にはそれぞれバネ２１０が形成されているため、各腕部２０２は、下方からの圧力に応じて変形可能となっている（図８（ｂ），（ｃ）参照）。
【００９０】
本構成によれば、押圧部１５は第２支持部材２００に、吸着部２１は支持部材１３にそれぞれ設けられている（すなわち、押圧部１５および吸着部２１は、それぞれ別の支持部材に設けられている）とともに、押圧部１５を介して第２支持部材２００にかかる衝撃は、緩衝部材２５０にて吸収されるため、たとえ押圧部１５が、遊技盤１００を押圧することによる反発力を受けたとしても（図８（ｂ），（ｃ）参照）、当該反発力が吸着部２１に伝わることを防ぐことができ、吸着部２１の吸着パット２２による遊技盤１００の吸着効果が低下することを防ぐことができる。
【００９１】
さらに、本構成によれば、押圧部１５にて遊技盤１００を押圧する場合、押圧部１５の替わりに当該押圧部１５を支持する腕部２０２のバネ２１０が変形するようになっている（図８（ｂ），（ｃ）参照）。すなわち、本構成では、押圧部１５自体を変形させずとも、吸着パット２２を遊技盤１００に当接させて吸着させることができるので、当該押圧部１５を、ジュラコン、フェノール樹脂等の硬質の部材で構成させることも可能となる。
【００９２】
なお、本実施の形態においては、腕部２０２の一部にバネ２１０が形成されている例を説明したが、本発明はこれに限られず、当該一部は、変形可能な部材にて形成されていればよい。例えば、腕部２０２の一部は、硬質ウレタン、天然ゴム、ブタジエンゴム、シリコーンゴム等の弾性を有する部材にて形成されていてもよい。
【産業上の利用可能性】
【００９３】
以上の説明においては、本発明を遊技盤を搬送する技術に適用した場合が説明されているが、本発明はこれに限定されるものではなく、反り易い板状の部材を搬送する技術に適用することが可能である。
【図面の簡単な説明】
【００９４】
【図１】実施の形態１に係る移載機の態様の一例を示す概念図である。
【図２】図１に示す移載機の態様の他の一例を示す概念図である。
【図３】図１（ｂ）に示す移載機を上方から見た説明図である。
【図４】実施の形態１に係るハンド部が遊技盤を押圧しながら吸着する状態を示す概念図である。
【図５】図３に示す移載機とは別の形態の移載機を上方から見た説明図である。
【図６】図５に示すハンド部が遊技盤を押圧しながら吸着する状態を示す概念図である。
【図７】実施の形態２に係る移載機を上方から見た説明図である。
【図８】図７に示すハンド部が遊技盤を押圧しながら吸着する状態を示す概念図である。
【符号の説明】
【００９５】
１  移載機
１０  ハンド部（搬送部）
１０ａ  ロッド
１１  レール把持部
１２  移送ネジ把持部
１３  支持部材
１５  押圧部
２０  突出板
２０ａ  ネジ
２１  吸着部
２２  吸着パット
２３  ホース
２４  隙間
３０  アーム部
３１  ガイドレール
３２  移送ネジ
３３，３４  ストッパ
１００  遊技盤
１１１，１１２  取り付け孔
１１０  載置台
１１０ａ  上面
１２０  ルーター加工機
１２１  本体部
１２２  アーム部
１２３  支持部材
１２４  カッターヘッド部
２００  第２支持部材
２０１  本体板
２０２  腕部
２１０  バネ
２２０  押圧板
２５０  緩衝部材
【図１】
2007313112.tif 000003
【図２】
2007313112.tif 000004
【図３】
2007313112.tif 000005
【図４】
2007313112.tif 000006
【図５】
2007313112.tif 000007
【図６】
2007313112.tif 000008
【図７】
2007313112.tif 000009
【図８】
2007313112.tif 000010